(57)【特許請求の範囲】
【請求項１】
紙または紙のような薄膜を展開することにより形成される四角または六角筒状の個別鉢体を連結片にて連結して連続鉢となし、該連続鉢を重ね合せてその相互間を水溶性接着剤にて貼着して、前記個別鉢体を集合させた育苗移植用連続集合鉢において、前記個別鉢体の側壁または前記連結片に、該連結片を実質的に延長する伸長片を形成する複数の切込を入れ、該切込内に、前記伸長片を前記個別鉢体または前記連結片に部分的に接続する接続片を設けたことを特徴とする育苗移植用連続集合鉢。
【請求項２】
請求項１に記載の育苗移植用連続集合鉢から連続鉢を一列に引出し、そのまま植付面に連続に繰出して個別鉢体内で育成した苗を該個別鉢体ごと植付ける接地型移植機において、前記連続鉢の引出し通路内に、個別鉢体を挟持して連続鉢を所定の速度で引出す引出手段と、該引出手段から送り出された個別鉢体を加速して切込内の接続片を破断し、伸長片を伸長させる加速手段とを配設したことを特徴とする接地型移植機。
【請求項３】
引出手段および加速手段の動力源として、移植機の機体に取付けられ、該機体の滑走に応じて畑面上を転動する駆動輪を用いたことを特徴とする請求項２に記載の接地型移植機。
【発明の詳細な説明】
【０００１】
【発明が属する技術分野】
本発明は、連結片で連結された個別鉢体を集合させた育苗移植用連続集合鉢、およびこの連続集合鉢の個別鉢体内で育成した苗を個別鉢体ごと連続に植付ける接地型移植機に関する。
【０００２】
【従来の技術】
従来、この種の育苗移植用連続集合鉢としては、紙または紙のような薄膜を展開することにより形成される四角または六角筒状の個別鉢体を連結片にて連結して連続鉢となし、この連続鉢を重ね合せてその相互間を水溶性接着剤にて貼着して、前記個別鉢体を集合させたものがある（例えば、特公平４−７９６１２号公報参照）。このような連続集合鉢においては、個別鉢体に培土して播種することにより集中的に多数の苗を育成することができ、しかも、育苗時の灌水で水溶性接着剤が退化するので、連続鉢の一端を引くと、重ね合せた連続鉢が相互に分離して一列に引出され、効率の良い移植が可能になる。
【０００３】
一方、最近、上記育苗移植用連続集合鉢から連続鉢を一列に引出し、そのまま植付溝に連続に繰出して植付けを行う接地型移植機が開発され、その利用が図られている（例えば、特開平５−３０８８２２号公報参照）。このものは、そり状の機体上に、上記育苗移植用連続集合鉢を載置する鉢苗載置部と、この鉢苗載置部から引出した連続鉢を一列に整列して案内する鉢苗案内部と、この鉢苗案内部から植付面に連続鉢を繰出す鉢苗繰出し部とを連続に設け、さらに機体下にオープナーを設けたもので、機体を畑面上で滑走させるだけで、オープナーにより形成された植付溝に個別鉢体と一緒に苗が連続に繰出され、その簡便な移植が可能になる。
【０００４】
しかし、上記した育苗移植用連続集合鉢によれば、連続鉢を重ね合せて個別鉢体を密に集合させる都合上、連結片の長さを個別鉢体の１つの側面の幅と等しくしなければならず、このため、上記移植機を用いて連続に鉢苗を植付けようとすると、その株間ピッチは連結片によって制約を受け、植付作物の種類によっては、株間ピッチが狭すぎてその利用を断念せざるを得ない場合もあった。
【０００５】
そこで、特開平７−１２３８６９号公報には、図１１および１２に示すように、連続鉢１を構成する個別鉢体２の側壁またはこの個別鉢体２を連結する連結片３に複数の切込４を入れ、隣接する個別鉢体２を相互に引張ることにより、前記切込４により形成された伸長片５を伸長させて、個別鉢体２の配列ピッチを数倍に延長することが提案されている。
【０００６】
したがって、このような連続鉢１を水溶性接着剤を介して重ね合せて、図１３に示すように連続集合鉢６となし、これを接地型移植機１０の機体１１上の鉢苗載置部１２に載置し、連続鉢１の一端を引き出せば、上記した伸長片５が伸長して連結片３の長さが実質的に延長され、大きな株間ピッチを必要とする作物の移植も可能になる。なお、図１３において、１３は一対のガイド板１４により形成された鉢苗案内部、１５は機体１１を切抜いて形成した鉢苗繰出し部、１６は機体１１の下面（接地面）に設けられたオープナーをそれぞれ表しており、鉢苗載置部１１上から引出した連続鉢１の一端の個別鉢体２をオープナー１６により形成された植付溝（図示略）に固定した状態で、機体１１を矢印Ｆ方向へ滑走させれば、個別鉢体２と一緒に苗７が連続に繰出されるようになる。
【０００７】
【発明が解決しようとする課題】
しかしながら、上記した連続集合鉢６は、水溶性接着剤の退化により重ね合せた連続鉢１の分離が容易になっているとはいえ、かなりの分離抵抗｛一例として7.8 〜 9.8Ｎ（ 800〜1000gf）｝を有しており、このため、移植機１０の鉢苗載置部１２上の連続集合鉢６から連続鉢１を引出す際、伸長片５を形成する複数のの切込４には伸長を抑制する抵抗となるものがないため直ちに伸長し、その伸長片５の一部、特に連接部８（図１２）がしばしば破断し、接地型移植機１０による連続移植が不可能になるという問題があった。
【０００８】
本発明は、上記従来の問題点を解決することを課題としてなされたもので、その目的とするところは、連続鉢を引出す際の伸長片の破断を防止することを可能とした連続集合鉢を提供し、併せてこの伸長片を確実に伸長させて連結片を実質的に延長する機能をもたせた接地型移植機を提供することにある。
【０００９】
【課題を解決するための手段】
本発明に係る育苗移植用連続集合鉢は、紙または紙のような薄膜を展開することにより形成される四角または六角筒状の個別鉢体を連結片にて連結して連続鉢となし、該連続鉢を重ね合せてその相互間を水溶性接着剤にて貼着して、前記個別鉢体を集合させた連続集合鉢において、前記個別鉢体の側壁または前記連結片に、該連結片を実質的に延長する伸長片を形成する複数の切込を入れ、該切込内に、前記伸長片を前記個別鉢体または前記連結片に部分的に接続する接続片を設ける構成としたことを特徴とする。
【００１０】
このように構成した連続集合鉢においては、接続片を破断させるのに要する引張力を育苗後の連続鉢の分離力よりも大きく設定しておくことで、連続鉢を引出す際、伸長片の伸長に先行して連続鉢が確実に分離し、伸長片の破断が未然に防止される。
【００１１】
また本発明に係る移植機は、上記した育苗移植用連続集合鉢から連続鉢を一列に引出し、そのまま植付面に連続に繰出して個別鉢体内で育成した苗を該個別鉢体ごと植付ける接地型移植機において、前記連続鉢の引出し通路内に、個別鉢体を挟持して連続鉢を所定の速度で引出す引出手段と、該引出手段から送り出された個別鉢体を加速して切込内の接続片を破断し、伸長片を伸長させる加速手段とを配設する構成としたことを特徴とする。
【００１２】
このように構成した移植機においては、引出手段を通過した個別鉢体が加速手段により加速されることで、先行する個別鉢体と後続の個別鉢体との間に大きな引張力が働き、切込内の接続片が破断して伸長片が伸長する。
【００１３】
上記した移植機において、引出手段および加速手段の動力源は任意であるが、該動力源として移植機の機体に取付けられ、該機体の滑走に応じて畑面上を転動する転動輪を用いるのが望ましい。このように転動輪を用いることにより、モータ等の特別の動力源は不要となり、構造の簡略化、軽量化を達成できる。
【００１４】
【発明の実施の形態】
以下、本発明の実施の形態を添付図面に基づいて説明する。
【００１５】
図１および２は、本発明に係る育苗移植用連続集合鉢を構成する連続鉢１を示したものである。なお、本連続鉢１の全体構成は、前出図１１に示したものと変わりはないので、同一部分には同一符号を付すこととする。本実施の形態において、前記個別鉢体２の側壁または前記連結片３に設けた切込４内には、前記伸長片５を個別鉢体２の側壁または連結片３に部分的に接続する複数の接続片２０（２０′）が設けられている。この接続片２０を設ける箇所は、伸長片５が伸長した際の連接部８（図１２）に対応する部分よりも伸長前側（先に伸長する側）とし、しかも、各接続片２０の大きさは、前記した連続鉢１の分離抵抗｛7.8 〜 9.8Ｎ（ 800〜1000gf）｝よりも大きな破断抵抗（引裂抵抗）を有する大きさとする。なお切込４は、ここでは個別鉢体２の二面幅にわたって設けられている。
【００１６】
したがって、いま、この連続鉢１を水溶性接着剤を介して重ね合せて、図３に示すような連続集合鉢６とし、その個別鉢体２内で育苗した後、連続鉢１を一端から引出すと、切込４内に設けた接続片２０が伸長片５を伸長させる抵抗となるため、伸長片５がそのまま個別鉢体２の側壁または連結片３内に留まり、連続鉢１の分離が先行して起こる。この場合、個別鉢体２は、初期設定の連結片３の長さＬを基準とする配列ピッチＰで連続に引出されることになり、接地型移植機１０により移植するに際しては、前記接続片２０を途中で破断して伸長片５を伸長させる必要がある。
【００１７】
そこで、本実施の形態では、図３および図４に示すように、前出図１３に示したものと同じ接地型移植機１０の機体１１上に、鉢苗引出及び分離装置２１を設置している。この鉢苗引出及び分離装置２１は、連続鉢１を引出すための引出ローラ対（引出手段）２２と、引出ローラ対２２から送り出された個別鉢体２を加速して切込４内の接続片２０を破断し、伸長片５を伸長させる加速ローラ対（加速手段）２３と、これら引出ローラ対２２および加速ローラ対２３を駆動するための駆動手段２４とから概略構成されており、これらは、機体１１上の、鉢苗載置部１２と鉢苗案内部１３との間に設置したボックス２５に一括して設けられている。
【００１８】
ボックス２５は、図５乃至図７に示すように断面コ字形をなし、そのコ字形の底板２５ａを上側にして機体１１上に固定されている。ボックス２５の内部は、中間プレート２６により上下２室ａ、ｂに仕切られており、その下室ｂに前記引出ローラ対２２および加速ローラ対２３が、その上室ａに前記駆動手段２４がそれぞれ配置されている。
【００１９】
より詳しくは、引出ローラ対２２は、ボックス２５の底板部２５ａと中間プレート２６とに軸受２７ａ，２７ｂを介して回動可能に支持された、上下方向に延びる一対の回転軸２８，２９の下端部に回転不能に取付けられている。また加速ローラ対２３も、前記同様にボックス２５の底板部２５ａと中間プレート２６とに軸受３０ａ，３０ｂを介して回動可能に支持された、上下方向に延びる一対の回転軸３１，３２の下端部に回転不能に取付けられている。
【００２０】
引出ローラ対２２および加速ローラ対２３のそれぞれは、個別鉢体２の対辺距離よりわずか小さな間隔となるように左右のローラ幅が設定されており、この間に個別鉢体２を挟持できるようになっている。また、引出ローラ対２２および加速ローラ対２３は、集合鉢６から引出された連続鉢１における個別鉢体２のピッチＰに相当するピッチで配列されており、これにより後続の個別鉢体２が引出ローラ対２２に挟持されている間に、先行する個別鉢体２が加速ローラ対２３に挟持されるようになっている。なお、引出ローラ対２２および加速ローラ対２３を構成する各ローラ３３は、心材３３ａとこれに嵌合した、ゴム等の弾性体３３ｂとからなっている。
【００２１】
一方、駆動手段２４は、ボックス２５の左右側板部２６ｂに軸受３４を介して回動自在に支持された左右一対の転動輪３５を備えると共に、この一対の転動輪のうちの一方の駆動輪３５の回転を前記引出ローラ対２２を支持する一方の回転軸２８に伝えるかさ歯車対３６と、一方の回転軸２８の回転を他方の回転軸２９に伝える歯車対３７とを備えている。駆動手段２４はまた、前記他方の回転軸２９に嵌合したプーリ３８と前記加速ローラ対２３を支持する一方の回転軸３２に嵌合したプーリ３９との掛け回したベルト４０を備えると共に、該一方の回転軸３２の回転を他方の回転軸３１に伝える歯車対４１を備えている。
【００２２】
上記転動輪３５は、移植機１０の機体１１を畑面（G.L ）に接地させた際、わずか畑面に喰込む大きさにその径が設定されており、したがって、移植機１０の機体１１を畑面に滑走させると、転動輪３５が畑面上を転動し、その回転がかさ歯車対３６および歯車対３７を介して引出ローラ用の一対の回転軸２８，２９に伝えられ、さらに両プーリ３８，３９およびベルト４０を介して加速ローラ用の一対の回転軸３１，３２に伝えられ、これにより引出ローラ対２２と加速ローラ対２３とが同期して同一方向へ回転するようになる。しかして、加速ローラ用の回転軸３２に嵌合されたプーリ３９の径は、引出ローラ用の回転軸２９に嵌合されたプーリ３８に比して小径に設定されており、これにより加速ローラ対２３が引出ローラ対２２よりも高速で回転する。この結果、先行する個別鉢体２が後続の個別鉢体２よりも高速で移送され、先行する個別鉢体２と後続の個別鉢内２との間に大きな引張力が発生して、切込４内の接続片２０が破断する。
【００２３】
すなわち、移植に際しては、予め鉢苗載置部１１上から連続鉢１を引出すと共に、その引出端側の切込４内の接続片２０を破断して伸長片５を伸長させた状態とし、連続鉢１の一端の個別鉢体２をオープナー１６により形成された植付溝（図示略）に固定する。この準備完了後、機体１１を矢印Ｆ方向へ滑走させると、転動輪３５が転動して、その回転が引出ローラ対２２と加速ローラ対２３とに同期して伝えられる。そして、鉢苗載置部１１上の集合鉢６から引出ローラ対２２により連続鉢１が一列に引出されると同時に、引出ローラ対２２から送り出された個別鉢体２が加速ローラ対２３により加速され、前記切込４内の接続片２０が破断して伸長片５が伸長し、連続鉢１は、伸長片５により連結片２を実質的に延長させた状態で繰出し部１５から連続に繰出され、オープナー１６により形成された植付溝に個別鉢体２と一緒に苗７が移植される。
【００２４】
上記引出ローラ対２２による連続鉢１の引出しに際しては、切込４内の接続片２０が連続鉢１の分離抵抗 7.8〜 9.8Ｎよりも大きな破断抵抗（引裂抵抗）を有しているので、前記接続片２０の破断すなわち伸長片５の伸長に先行して、連続集合鉢６内の連続鉢１が分離し、個別鉢体２は連結片３の長さＬを基準とする所定の配列ピッチＰで連続に引出される。一方、加速ローラ対２３による加速で伸長片５が伸長した後は、機体１１の滑走に応じて連続鉢１に所定の引張力が作用するが、この引張力は 0.9〜 1.5Ｎ(100〜150gf)程度で、伸長片５の破断抵抗（引裂抵抗） 2.9〜 3.9Ｎ(300〜400gf)に比べて十分に小さく、したがって、移植中に伸長片５が破断することはない。ここで、上記実施の形態のように、個別鉢体２の二面幅にわたって切込４を設けた場合は、伸長片５を伸長させた後の個別鉢体２の配列ピッチは、前記した基準の配列ピッチＰの２倍強となり、大きな株間ピッチでの移植が可能になる。
【００２５】
図８および９は、本発明に係る接地型移植機の第２の実施の形態を示したものである。本第２の実施の形態の特徴とするところは、鉢苗引出及び分離装置２１を構成する加速ローラ対（加速手段）２３の各ローラ３３′として個別鉢体２内で育成した苗７の茎部分に対応する厚さに設定し、かつ左右のローラ３３′の幅を前記苗７の茎部分よりわずか小さな間隔となるように設定した点にある。このように構成した場合は、加速ローラ対２３により苗７の茎部分を挟持して、上記第１の実施の形態と同様に先行する個別鉢体２を後続の個別鉢体２よりも加速することができ、同様に切込４内の接続片２０を破断することができる。ただし、この場合は、先行する個別鉢体２の加速される時間幅が短くなるので、切込４内には、図１に示した連結片３側（始端側）の接続片２０′のみを設けるようにする。
【００２６】
図１０は、本発明の本発明に係る接地型移植機の第３の実施の形態を示したものである。本第３の実施の形態の特徴とするところは、鉢苗引出及び分離装置２１を構成する加速手段として、上記加速ローラ対２３に代えて回転ベルト対４５を用いた点にある。回転ベルト対４５は、引出ローラ対２２側に配置した一対の駆動輪（プーリ）４６と鉢苗繰出し部１５側に配置した左右一対の従動輪（プーリ）４７とに掛け回した無端ベルト４８を備え、その無端ベルト４８の送り側の左右間隔を個別鉢体２内で育成した苗７の茎部分を挟持できる幅に設定している。このような回転ベルト対４５を用いることで、先行する個別鉢体２内の苗７の茎部分を挟持して継続的に加速することができ、上記第２の実施の形態のように、切込４内の接続片２０を連結片３側の接続片２０′のみに限定する必要はなくなる。なお、本第３の実施の形態における回転ベルト対４５は、その左右無端ベルト４８の左右間隔を調整することで、第１の実施の形態のように個別鉢体２を挟持する態様で用いることができる。
【００２７】
なお、上記各実施の形態において、引出手段としてローラ対２２を用いたが、この引出手段は、連続鉢１を所定の速度で引出しできればその構成は任意であり、例えば、第３の実施の形態における回転ベルト対４５を短尺にしたもの、あるいはチェーンまたはベルトで駆動される爪部材（プッシャ）を用いることができる。また、加速手段としての加速ローラ対２３、回転ベルト対４５も、前記したプッシャに代えることができる。
さらに、上記各実施の形態において、鉢苗引出及び分離装置２１を、転動輪３５を動力源として用いる構成としたが、接地型移植機１０を、例えば歩行用トラクタにけん引させるような場合は、前記動力源として歩行用トラクタの動力を用いることができる。
【００２８】
【発明の効果】
以上、詳細に説明したように、本発明に係る連続集合鉢によれば、連続鉢を引出す際、切込内に設けた接続片が伸長片の伸長を抑えるので、連続鉢の引出力で伸長片が破断してしまうことはなくなる。
また、本発明に係る移植機によれば、連続鉢の引出し途中で切込内の接続片を確実に破断して伸長片を伸長させることができ、株間ピッチの変更に容易に対応できる。
【図面の簡単な説明】
【図１】本発明に係る連続集合鉢用連続鉢の構造を示す斜視図である。
【図２】図１の一部を拡大して示す斜視図である。
【図３】本発明に係る接地型移植機の全体構造を示す平面図である。
【図４】図３に示した移植機内における鉢苗引出及び分離装置の作動状態を示す模式図である。
【図５】図３に示した移植機内における鉢苗引出及び分離装置の構造を一部開放して示す平面図である。
【図６】図５のＡ−Ａ矢視線に沿う断面図である。
【図７】図５のＢ−Ｂ矢視線に沿う断面図である。
【図８】移植機内における鉢苗引出及び分離装置の他の構造と作動状態を示す模式図である。
【図９】  図８に示した鉢苗引出及び分離装置を構成する加速ローラ対の形状と使用態様を示す模式的に示す正面図である。
【図１０】移植機内における鉢苗引出及び分離装置の、さらに他の構造と作動状態を示す模式図である。
【図１１】従来の連続集合鉢用連続鉢の構造を示す斜視図である。
【図１２】従来の連続集合鉢用連続鉢の伸長状態を示す斜視図である。
【図１３】従来の接地型移植機の構造と使用態様を示す平面図である。
【符号の説明】
１    連続鉢
２    個別鉢体
３    連結片
４    切込
５    伸長片
６    連続集合鉢
１０  接地型移植機
１１  機体
１４  鉢苗案内部
１５  鉢苗繰出し部
２０  接続片
２１  鉢苗引出及び分離装置
２２  引出ローラ対
２３  加速ローラ対（加速手段）
２４  駆動手段
３５  転動輪
４５  回転ベルト対（加速手段）
【図１】
0003663526.tif 000002
【図２】
0003663526.tif 000003
【図３】
0003663526.tif 000004
【図４】
0003663526.tif 000005
【図５】
0003663526.tif 000006
【図６】
0003663526.tif 000007
【図７】
0003663526.tif 000008
【図８】
0003663526.tif 000009
【図９】
0003663526.tif 000010
【図１０】
0003663526.tif 000011
【図１１】
0003663526.tif 000012
【図１２】
0003663526.tif 000013
【図１３】
0003663526.tif 000014